(57)【要約】【課題】  組み立て時の工数を低減したプランジャポンプを提供する。【解決手段】  プランジャの往復運動によって吸込弁および吐出弁が選択的に開閉されることで作動液を吸い込み、吐出するプランジャポンプにおいて、ガイド部材およびバックアップ部材を、所定の締め代をもってプランジャの外周に取り付けることとした。【選択図】      図２
2008223650.tif 000002
【特許請求の範囲】
【請求項１】
作動液を吸い込む吸込弁と、
前記作動液を吐出する吐出弁と、
ハウジング内部に形成されたハウジング孔と、
前記ハウジング孔に収容され、軸方向に往復運動するプランジャと、
前記吸込弁、前記吐出弁、および前記プランジャからなるポンプ組立体と、
前記ハウジング内部であって前記ハウジング孔に連通する部屋内に設けられ、前記プランジャを駆動するプランジャ駆動部材と、
前記ハウジング孔であって前記部屋側の位置に設けられ、前記プランジャを軸方向摺動可能に支持するガイド部材と、
前記ハウジング孔から前記部屋への作動液の漏出をシールするシール部材と、
前記シール部材に接することでこのシール部材を係止するバックアップ部材と
を備え、
前記プランジャの往復運動によって前記吸込弁および前記吐出弁が選択的に開閉されることで前記作動液を吸い込み、吐出するプランジャポンプにおいて、
前記ガイド部材および前記バックアップ部材を、所定の締め代をもって前記プランジャの外周に取り付けること
を特徴とするプランジャポンプ。
【請求項２】
ハウジング内部に形成されたハウジング孔と、
前記ハウジング孔に収容され、軸方向に往復運動するプランジャと、
前記ハウジング内部であって前記ハウジング孔に連通する部屋内に設けられ、前記プランジャを駆動するプランジャ駆動部材と、
前記ハウジング孔であって前記部屋側の位置に設けられ、前記プランジャを軸方向摺動可能に支持するガイド部材と、
前記ハウジング孔から前記部屋への作動液の漏出をシールするシール部材と
を備え、
前記プランジャの往復運動によってポンプ作用を行うプランジャポンプにおいて、
前記ガイド部材を、所定の締め代をもって前記プランジャの外周に取り付けること
を特徴とするプランジャポンプ。
【請求項３】
作動液を吸い込む吸込弁と、
前記作動液を吐出する吐出弁と、
ハウジング内部に形成されたハウジング孔と、
前記ハウジング孔に収容され、軸方向に往復運動するプランジャと、
前記吸込弁、前記吐出弁、および前記プランジャからなるポンプ組立体と、
前記ハウジング内部であって前記ハウジング孔に連通する部屋内に設けられ、前記プランジャを駆動するプランジャ駆動部材と、
前記ハウジング孔であって前記部屋側の位置に設けられ、前記プランジャを軸方向摺動可能に支持するガイド部材と、
前記ハウジング孔から前記部屋への作動液の漏出をシールするシール部材と、
前記シール部材に接することでこのシール部材を係止するバックアップ部材と
を備え、
前記プランジャの往復運動によって前記吸込弁および前記吐出弁が選択的に開閉されることで前記作動液を吸い込み、吐出するプランジャポンプの組み立て方法において、
前記ガイド部材および前記バックアップ部材を前記プランジャに組み付けた状態で、前記ポンプ組立体を前記ハウジングに組み付けること
を特徴とするプランジャポンプの組み立て方法。
【請求項４】
ハウジング内部に形成されたハウジング孔に収容されて、軸方向に往復運動するプランジャと、
前記プランジャの往復運動によって吸込弁および吐出弁が選択的に開閉されることで作動液を吸い込み、吐出するプランジャポンプの組み立て方法において、
前記プランジャを前記ハウジングに対し軸方向摺動可能に支持するガイド部材を前記プランジャに組み付けた状態で、前記プランジャを前記ハウジングに組み付けること
を特徴とするプランジャポンプの組み立て方法。
【発明の詳細な説明】
【技術分野】
【０００１】
本発明は、プランジャポンプに関する。
【背景技術】
【０００２】
従来、プランジャポンプにあっては、プランジャと摺動して軸方向に案内するガイド部材と、このガイド部材と一体または別体に形成されてシール部材を補強するバックアップリングをハウジングに設けられた孔内に圧入し（第１工程）、その後プランジャ、吸込弁、および吐出弁が一体となったポンプ組立体を孔内に挿入する（第２工程）ことで、組み立てを行っている。
【特許文献１】特表２００３−５２９０１８号公報
【発明の開示】
【発明が解決しようとする課題】
【０００３】
しかしながら上記従来技術にあっては、プランジャとの摺動抵抗を減らすためにガイド部材の締め代をハウジング側に設け、ガイド部材をプランジャではなくハウジング側に固定していた。したがって組み付け時には必ずガイド部材を先にハウジングに圧入した後にポンプ組立体をハウジング孔に挿入する、という２つの工程を経なければならず、工数がかさむという問題があった。
【０００４】
本発明は上記問題点に着目してなされたものであり、その目的とするところは、組み立て時の工数を低減したプランジャポンプを提供することにある。
【課題を解決するための手段】
【０００５】
上述の目的を達成するため、本発明は、作動液を吸い込む吸込弁と、前記作動液を吐出する吐出弁と、ハウジング内部に形成されたハウジング孔と、前記ハウジング孔に収容され、軸方向に往復運動するプランジャと、前記吸込弁、前記吐出弁、および前記プランジャからなるポンプ組立体と、前記ハウジング内部であって前記ハウジング孔に連通する部屋内に設けられ、前記プランジャを駆動するプランジャ駆動部材と、前記ハウジング孔であって前記部屋側の位置に設けられ、前記プランジャを軸方向摺動可能に支持するガイド部材と、前記ハウジング孔から前記部屋への作動液の漏出をシールするシール部材と、前記シール部材に接することでこのシール部材を係止するバックアップ部材とを備え、前記プランジャの往復運動によって前記吸込弁および前記吐出弁が選択的に開閉されることで前記作動液を吸い込み、吐出するプランジャポンプにおいて、前記ガイド部材および前記バックアップ部材を、所定の締め代をもって前記プランジャの外周に取り付けることとした。
【０００６】
よって、組み立て時の工数を低減したプランジャポンプを提供できる。
【発明を実施するための最良の形態】
【０００７】
以下、本発明のプランジャポンプを実現する最良の形態を、図面に示す実施例に基づいて説明する。
【実施例１】
【０００８】
［プランジャポンプの概要］
図１はプランジャポンプの軸方向断面図、図２はガイド部材付近の拡大断面図である。なお、プランジャポンプの軸方向であってハウジング７の開口側をｘ軸正方向と定義する。
【０００９】
プランジャポンプはハウジング７に設けられたハウジング孔７１内にポンプ組立体１０を挿入することにより形成される。このポンプ組立体１０は作動液を吸い込む吸込弁ＩＮと、作動液を吐出する吐出弁ＯＵＴと、ｘ軸方向に往復運動するプランジャ４とを有する。プランジャ４のｘ軸方向摺動によって吸込弁ＩＮおよび吐出弁ＯＵＴが選択的に開閉されることで作動液を吸い込み、吐出を行う。
【００１０】
ハウジング孔７１はｘ軸正方向側においてハウジング７表面に開口し、ｘ軸負方向側においてハウジング７内に設けられた部屋２０に開口する。この部屋２０にはプランジャ４をｘ軸正方向に移動させるプランジャ駆動部材３０が収装され、図外のモータ等によって駆動される。
【００１１】
ポンプ組立体１０はプラグ１、シリンダ２、フィルタ３を有する。プラグ１はｘ軸正方向側に設けられ、スプリング２１を介して吐出弁ＯＵＴをｘ軸方向移動可能に支持する。
【００１２】
シリンダ２はプラグ１のｘ軸負方向側に設けられたカップ状部材であり、底部は開口して吐出弁ＯＵＴと連通するとともに、内周側に吸込弁ＩＮを収装する。シリンダ２はｘ軸負方向側において円環状のフィルタ３と接続し、ｘ軸負方向側の開口部からプランジャ４が挿入される。
【００１３】
吸込弁ＩＮは、シリンダ２内部においてさらにカップ形状のスプリング台座部５１に収容され、スプリング台座部５１内部に設けられたスプリング２２によってｘ軸負方向に付勢されてシールリング５２を介してプランジャ４にｘ軸負方向側を係止される。
【００１４】
スプリング台座部５１は底部が開口して吸込弁ＩＮと吐出弁ＯＵＴと連通するとともに、ｘ軸負方向側の外周部においてスプリング２３によってｘ軸負方向側に付勢される。このスプリング２３はシリンダ２内部に設けられ、シリンダ２の底部に支持される。
【００１５】
プランジャ４にはｘ軸正方向側に開口するｘ軸方向連通孔４１が設けられている。このｘ軸方向連通孔４１はｘ軸負方向側の最深部において径方向貫通孔４２と連通し、フィルタ３を介してプランジャ４の外周側と吸込弁ＩＮとを連通する。
【００１６】
円環状に設けられたフィルタ３の外周側には図外の吸入口が設けられ、プランジャ４の往復運動によってこの吸入口から作動液を吸い込み、吸込弁ＩＮおよび吐出弁ＯＵＴを選択的に開閉することでポンプとして機能する。
【００１７】
［ガイド部材付近の詳細］
プランジャ４の外周側であってフィルタ３のｘ軸負方向側には、ｘ軸正方向側から順にシール部材５、バックアップ部材６、およびガイド部材８が設けられている。
【００１８】
シール部材５、バックアップ部材６、およびガイド部材８はいずれも環状部材であって、ガイド部材８はプランジャ４をｘ軸方向摺動可能に支持し、バックアップ部材６はシール部材５を係止することでシール部材５のはみ出しを防ぎ、シール部材５の損傷を防止する。また、シール部材５はガイド部材８の内外周の少なくとも一方と部屋２０とのシールを行う。
【００１９】
ガイド部材８およびバックアップ部材６は、所定の締め代をもってプランジャ４の外周に取り付けられている。すなわち、ガイド部材８およびバックアップ部材６はハウジング孔７１には固定されておらず、プランジャ４外周に嵌合される。
【００２０】
したがって、プランジャ４、吸込弁ＩＮ，および吐出弁ＯＵＴでポンプ組立体１０を形成した後、プランジャ４にシール部材５、バックアップ部材６、およびガイド部材８を嵌合させてからハウジング孔７１に挿入すれば、ガイド部材８が既に組み付いた一体のポンプ組立体１０を挿入するのみでプランジャポンプを組み立てが完了する。これにより、あらかじめハウジング孔７１にガイド部材８、バックアップ部材６を圧入することなく組み立てが行われる。
【００２１】
なお、プランジャ４の摺動時に摺動抵抗が必要以上に大きくならないよう、過大な摺動抵抗を回避しつつプランジャ４の案内が可能な締め代に設定されている。また、ガイド部材８の締め代部８１は、ガイド部材８のｘ軸負方向側に設けられている。
【００２２】
また、ハウジング孔７１は、部屋２０とは反対側（ｘ軸正方向側）においてハウジング７表面に開口し、ガイド部材８を収容するガイド部材収容部７３と、ポンプ組立体１０のシリンダ２を収容するシリンダ収容部７２から構成され、ポンプ組立体１０の挿入ガイド開始点ｃからガイド部材８までの距離ａは、シリンダ収容部７２（ｘ軸方向長さｂ）に対し小径かつｘ軸方向長さを短く設けられる（ａ<ｂ）。
【００２３】
ｘ軸方向に長いシリンダ収容部７２によってポンプ組立体１０をガイドすることで、組み付け時にガイド部材８がガイド部材収容部７３と干渉してガイド部材８へ負担がかかることを回避する。
【００２４】
［実施例１の効果］
（１）作動液を吸い込む吸込弁ＩＮと、作動液を吐出する吐出弁ＯＵＴと、ハウジング７内部に形成されたハウジング孔７１と、ハウジング孔７１に収容され、軸方向に往復運動するプランジャ４と、吸込弁ＩＮ、吐出弁ＯＵＴ、およびプランジャ４からなるポンプ組立体１０と、ハウジング７内部であってハウジング孔７１に連通する部屋２０内に設けられ、プランジャ４を駆動するプランジャ駆動部材３０と、ハウジング孔７１であって部屋２０側の位置に設けられ、プランジャ４を軸方向摺動可能に支持するガイド部材８と、ハウジング孔７１から部屋２０への作動液の漏出をシールするシール部材５とシール部材５に接することでこのシール部材５を係止するバックアップ部材６とを備え、プランジャ４の往復運動によって吸込弁ＩＮおよび吐出弁ＯＵＴが選択的に開閉されることで作動液を吸い込み、吐出するプランジャポンプにおいて、ガイド部材８およびバックアップ部材６を、所定の締め代をもってプランジャ４の外周に取り付けることとした。
【００２５】
これにより、あらかじめハウジング孔７１にガイド部材８、バックアップ部材６を圧入することなく組み立てが行われることで、組み立て時の工数を低減したプランジャポンプを提供することができる。
【００２６】
また、ガイド部材８、バックアップ部材６が設けられるガイド部材収容部７３はハウジング孔７１の最深部であるため、ポンプ組立体１０とは別途ガイド部材８、バックアップ部材６を圧入する場合は圧入工程が煩雑となるが、この圧入工程を省略することでより工程が簡略化される。
【実施例２】
【００２７】
実施例２につき図３、図４に基づき説明する。基本構成は実施例１と同様である。実施例１では、ガイド部材８の締め代部８１はガイド部材８のｘ軸負方向側に設けたが、実施例２ではｘ軸正方向側に設ける点で異なる。この実施例２においても、実施例１と同様の作用効果を得ることができる。
【実施例３】
【００２８】
実施例３につき図５、図６に基づき説明する。基本構成は実施例１と同様である。実施例３では締め代部８１をガイド部材８の略中央部に設ける点で異なる。実施例３においても、実施例１と同様の作用効果を得ることができる。
【実施例４】
【００２９】
実施例３につき図７に基づき説明する。実施例４ではバックアップ部材６を省略する。実施例４においても、実施例１と同様の作用効果を得ることができる。
【００３０】
さらに、上記各実施例から把握しうる請求項以外の技術的思想について、以下にその効果とともに記載する。
【００３１】
（イ）請求項１または請求項２に記載のプランジャポンプにおいて、
前記ガイド部材は、前記ハウジング孔の周壁であること
を特徴とするプランジャポンプ。
【００３２】
ガイド部材をバックアップ部材と別体に設けることで、ポンプ組立体の組み付け性が向上する。
【００３３】
（ロ）請求項１または請求項２に記載のプランジャポンプにおいて、
前記ガイド部材の締め代は、前記部屋に対し軸方向反対側に設けられること
を特徴とするプランジャポンプ。
【００３４】
（ハ）請求項１または請求項２に記載のプランジャポンプにおいて、
前記ハウジング孔は、前記部屋とは反対側において前記ハウジング表面に開口し、前記ガイド部材を収容するガイド部材収容部と、前記ポンプ組立体のシリンダを収容するシリンダ収容部から構成され、
前記ポンプ組立体の挿入ガイド開始点から前記ガイド部材までの距離は、前記シリンダ収容部に対し小径かつ軸方向長さを短く設けられること
を特徴とするプランジャポンプ。
【００３５】
シリンダ収容部によってポンプ組立体をガイドすることで、組み付け時にガイド部材がガイド部材収容部と干渉してガイド部材へ負担がかかることを回避することができる。
【図面の簡単な説明】
【００３６】
【図１】実施例１におけるプランジャポンプの軸方向断面図である。
【図２】実施例１におけるガイド部材付近の拡大断面図である。
【図３】実施例２におけるプランジャポンプの軸方向断面図である。
【図４】実施例２におけるガイド部材付近の拡大断面図である。
【図５】実施例３におけるプランジャポンプの軸方向断面図である。
【図６】実施例３におけるガイド部材付近の拡大断面図である。
【図７】実施例４におけるプランジャポンプの軸方向断面図である。
【符号の説明】
【００３７】
１    プラグ
２    シリンダ
３    フィルタ
４    プランジャ
５    シール部材
６    バックアップ部材
７    ハウジング
８    ガイド部材
１０    ポンプ組立体
２０    部屋
２１〜２３    スプリング
３０    プランジャ駆動部材
４１    軸方向連通孔
４２    径方向貫通孔
５１    スプリング台座部
５２    シールリング
７１    ハウジング孔
７２    シリンダ収容部
７３    ガイド部材収容部
８１    締め代部
ＩＮ    吸込弁
ＯＵＴ    吐出弁
【図１】
2008223650.tif 000003
【図２】
2008223650.tif 000004
【図３】
2008223650.tif 000005
【図４】
2008223650.tif 000006
【図５】
2008223650.tif 000007
【図６】
2008223650.tif 000008
【図７】
2008223650.tif 000009